【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段による撮影に関する特定の撮影設定の調整を行う撮影準備手段と、
前記撮影準備手段によって調整された撮影設定に基づいて前記撮像手段による撮影を行い、撮影された画像を記録媒体に記録する撮影処理を行う撮影処理手段と、
タッチ操作部材に対する接触操作を検出可能な検出手段と、
前記検出手段により前記タッチ操作部材に対するタッチダウンが検出されたことに応じて、前記撮影準備手段による前記調整を、該タッチダウンがなされた位置に基づいて決定される領域に合わせて行うように制御し、当該タッチダウン後の接触位置の移動があっても移動された接触位置に応じた前記調整は行わず、当該タッチダウンによる前記接触が無くなったことが検出されると、前記撮影処理手段による前記撮影処理を行うように制御する制御手段と
を備えることを特徴とする撮像装置。
【請求項２】
前記制御手段は、前記撮影準備手段による前記調整のトリガーとなった前記タッチダウンの後、前記検出手段により特定のタッチ操作を検出した後に、当該タッチダウンによる前記接触が無くなったことが検出されると、前記撮影処理手段による撮影処理を行わないように制御することを特徴とする請求項１に記載の撮像装置。
【請求項３】
撮像手段と、
前記撮像手段による撮影に関する特定の撮影設定の調整を行う撮影準備手段と、
前記撮影準備手段によって調整された撮影設定に基づいて前記撮像手段による撮影を行い、撮影された画像を記録媒体に記録する撮影処理を行う撮影処理手段と、
タッチ操作部材に対する接触操作を検出可能な検出手段と、
前記検出手段により前記タッチ操作部材に対するタッチダウンが検出されたことに応じて、前記撮影準備手段による前記調整を行うように制御し、
当該タッチダウンの後、特定のタッチ操作を検出することなく当該タッチダウンによる前記接触が無くなったことが検出されると、前記撮影処理手段による前記撮影処理を行うように制御し、
前記検出手段により、前記特定のタッチ操作を検出した後に、当該タッチダウンによる前記接触が無くなったことが検出されると、前記撮影処理手段による撮影処理を行わないように制御する制御手段と
を備えることを特徴とする撮像装置。
【請求項４】
前記特定のタッチ操作は、前記検出手段によって検出された接触が前記タッチ操作部材上の所定の領域内である場合に、検出された接触を前記所定の領域外に移動する操作であることを特徴とする請求項２または３に記載の撮像装置。
【請求項５】
前記特定のタッチ操作は、前記検出手段によって検出された前記タッチダウンによる接触の位置を、接触を離さないまま所定の距離以上移動する操作であることを特徴とする請求項２または３に記載の撮像装置。
【請求項６】
前記特定のタッチ操作は、前記検出手段によって検出された前記タッチダウンによる接触の位置を、接触を離さないまま、前記タッチ操作部材上の所定の領域に移動する操作であることを特徴とする請求項２または３に記載の撮像装置。
【請求項７】
前記特定のタッチ操作は、前記検出手段によって検出された前記タッチダウンによる接触の位置を、接触を離さないまま、所定の速度以上の速度で所定の距離以上移動し、その直後に離す操作であることを特徴とする請求項２または３に記載の撮像装置。
【請求項８】
前記特定のタッチ操作は、前記検出手段によって検出された前記タッチダウンによる接触を継続したまま、新たに前記タッチ操作部材に対する接触を行う操作であることを特徴とする請求項２または３に記載の撮像装置。
【請求項９】
前記特定の撮影設定の調整は、フォーカス、露出およびホワイトバランスのうちの少なくとも一つの調整であることを特徴とする請求項１乃至８のいずれか１項に記載の撮像装置。
【請求項１０】
前記撮像装置の姿勢を検出する姿勢検出手段をさらに備え、前記制御手段は、前記検出手段の検出結果に基づく前記撮影処理手段の制御を、前記姿勢検出手段により前記撮像装置の特定の姿勢が検出されたときのみ行うことを特徴とする請求項１乃至９のいずれか１項に記載の撮像装置。
【請求項１１】
画像を表示する表示手段と、
前記撮像手段で撮像されているスルー画像を逐次表示するように制御する表示制御手段とを更に備えることを特徴とする請求項１乃至１０のいずれか１項に記載の撮像装置。
【請求項１２】
前記タッチ操作部材は前記表示手段に対するタッチ操作を受け付けるタッチパネルであり、
前記制御手段は、前記検出手段により前記タッチパネルへの接触が検出された位置に基づいて決定される領域に合わせて前記撮影設定の調整を行なうよう前記撮影処理手段を制御することを特徴とする請求項１１に記載の撮像装置。
【請求項１３】
前記タッチ操作部材は前記表示手段とは異なる位置に配置されたラインタッチセンサーであることを特徴とする請求項１１に記載の撮像装置。
【請求項１４】
前記撮影準備手段による前記特定の撮影設定の調整が完了すると、撮影準備動作が終了したことを報知する報知手段を更に備えることを特徴とする請求項１乃至１３のいずれか１項に記載の撮像装置。
【請求項１５】
前記報知手段は、表示手段に、撮影準備動作が完了したことを示す合焦枠を表示することによって前記報知を行うことを特徴とする請求項１４に記載の撮像装置。
【請求項１６】
前記タッチダウンに応じて行われた前記撮影準備手段による前記調整の結果を、当該タッチダウンによる接触が離されるまでロックすることを特徴とする請求項１乃至１５のいずれか１項に記載の撮像装置。
【請求項１７】
前記制御手段は、前記タッチダウンがなされた位置に基づいて決定される被写体を追尾し、追尾した該被写体の領域に合わせて前記撮影準備手段による前記調整を継続して行うように制御することを特徴とする請求項１乃至１５のいずれか1項に記載の撮像装置。
【請求項１８】
撮像手段と、前記撮像手段による撮影に関する特定の撮影設定の調整を行う撮影準備手段と、前記撮影準備手段によって調整された撮影設定に基づいて前記撮像手段による撮影を行い、撮影された画像を記録媒体に記録する撮影処理を行う撮影処理手段とを備える撮像装置の制御方法であり、
タッチ操作部材に対する接触操作を検出するステップと、
前記検出ステップにより前記タッチ操作部材に対するタッチダウンが検出されたことに応じて、前記撮影準備手段に前記調整を、該タッチダウンがなされた位置に基づいて決定される領域に合わせて行なわせ、当該タッチダウン後の接触位置の移動があっても移動された接触位置に応じた前記調整は行わせず、当該タッチダウンによる前記接触が無くなったことが検出されたことに応じて前記撮影処理手段が前記撮影処理を行うように制御する制御ステップと
を有することを特徴とする撮像装置の制御方法。
【請求項１９】
撮像手段と、前記撮像手段による撮影に関する特定の撮影設定の調整を行う撮影準備手段と、前記撮影準備手段によって調整された撮影設定に基づいて前記撮像手段による撮影を行い、撮影された画像を記録媒体に記録する撮影処理を行う撮影処理手段とを備える撮像装置の制御方法であり、
タッチ操作部材に対する接触操作を検出するステップと、
前記検出ステップにより前記タッチ操作部材に対するタッチダウンが検出されたことに応じて、前記撮影準備手段に前記調整を行わせ、当該タッチダウンの後、特定のタッチ操作を検出することなく当該タッチダウンによる前記接触が無くなったことが検出されると、前記撮影処理手段による前記撮影処理を行わせ、前記検出ステップにより、前記特定のタッチ操作を検出した後に、当該タッチダウンによる前記接触が無くなったことが検出されると、前記撮影処理手段による撮影処理を行わないように制御する制御ステップと
を有することを特徴とする撮像装置の制御方法。
【請求項２０】
コンピュータを、請求項１乃至１７のいずれか１項に記載された撮像装置の各手段として機能させるプログラムを記録したコンピュータが読み取り可能な記録媒体。
【請求項２１】
コンピュータを、請求項１乃至１７のいずれか１項に記載された撮像装置の各手段として機能させるプログラム。